(57)【特許請求の範囲】
【請求項１】
主データと対応する管理データをそれぞれ含む複数のデータを記憶する記憶手段と、
上記記憶手段に記憶された上記複数のデータの中の主データを再生する再生手段と、
ユーザが左手で把持しながら、ユーザの左手の親指だけで、回転操作と押圧操作の両方ができるユーザ操作のための操作手段と、
所定期間の間に出力されたパルスの数をカウントすることにより、上記操作手段の回転操作の速度を検出する操作速度検出手段と、
上記操作速度検出手段によって検出された操作手段の回転操作の速度が所定速度よりも速いか否かを判定し、該判定結果に基づいて、上記記憶手段に記憶されているデータの検索を制御する制御手段とを備え、
上記制御手段は、
上記操作手段の回転操作の速度が上記所定速度よりも遅いと判定する場合には、上記管理データの中のインデックスを上記パルスに応じて１つずつ増加又は減少させ、上記操作手段の回転操作の速度が上記所定速度よりも速いと判定する場合には、上記管理データの中のインデックスを上記パルスに応じて２つ以上増加又は減少させながら検索をする制御を行い、
上記操作手段の押圧操作に応じて、上記管理データの特定の部分を選択することを特徴とする再生装置。
【請求項２】
上記制御手段は、上記操作手段の回転操作の方向に基づいて、上記インデックスを増加させる方向に上記データを検索することを特徴とする請求項１記載の再生装置。
【請求項３】
上記制御手段は、上記操作手段の回転操作の方向に基づいて、上記インデックスを減少させる方向に上記データを検索することを特徴とする請求項１記載の再生装置。
【請求項４】
上記制御手段は、検索されたインデックスに対する主データの再生指示がある場合に、上記複数のデータの中の１つの主データが上記再生手段によって再生されるように制御することを特徴とする請求項１記載の再生装置。
【請求項５】
上記制御手段は、上記記憶手段に記憶された上記複数のデータの中の１つの主データが再生中のときに、上記操作手段の回転操作の方向に基づいて再生中の上記複数のデータの中の１つの主データをキュー再生することを特徴とする請求項２記載の再生装置。
【請求項６】
上記制御手段は、上記記憶手段に記憶された上記複数のデータの中の１つの主データが再生中のときに、上記操作手段の回転操作の方向に基づいて再生中の上記複数のデータの中の１つの主データをレビュー再生することを特徴にする請求項２記載の再生装置。
【請求項７】
上記制御手段は、上記記憶手段に記憶された上記複数のデータの中の１つの主データが再生中のときに、上記操作手段の回転操作の方向に基づいて間欠的に上記複数のデータの中の１つの主データを再生するように制御することを特徴とする請求項２記載の再生装置。
【請求項８】
上記制御手段は、上記記憶手段に記憶された上記複数のデータの中の１つの主データが再生中のときに、上記操作手段の回転操作の速度に基づいて間欠的に上記複数のデータの中の１つの主データを再生するように制御することを特徴とする請求項６記載の再生装置。
【発明の詳細な説明】
【技術分野】
【０００１】
本発明は、記録媒体に記憶されたデータの再生を行う再生装置に関する。
【背景技術】
【０００２】
従来、音声データや画像データ等の動的データを記録再生する記録再生装置としては、テープレコーダ、ディジタルオーディオテープレコーダ（ＤＡＴ）、光磁気ディスク装置等が一般に提供されている。しかしながら、これら従来の記録再生装置では、使用される記録媒体との関係で、例えば磁気テープ等を走行させるため或いは光磁気ディスク等を回転駆動させるためのモータや、このような記録媒体に対してデータの記録再生を行うための磁気ヘッド或いは光学ヘッドや、外装筐体に対して記録媒体の着脱を行うためのシャッター機構、送り機構、チャッキング機構、等の種々の機構が必要不可欠となる。したがって、このような従来の記録再生装置では、その小型軽量化や低コスト化を推進する上で自ずと限界があった。
【０００３】
これに対し、例えば電気的消去形（エレクトリカル・イレーザブル）プログラマブル・リード・オンリ・メモリ（Electrical Erasable/Programmable Read-Only Memory、以下ＥＥＰＲＯＭという。）等の不揮発性の半導体メモリを記録媒体として用いた音声記録再生装置（以下、ＩＣレコーダという。）が提供されている。
【０００４】
このようなＩＣレコーダでは、記録媒体として半導体メモリが用いられることにより上述したモータ、ヘッド、及び種々の機構が不要となるので、装置全体の小型軽量化、低コスト化を実現することができる。また、近年における半導体メモリの低コスト化及び高容量化の実現により、装置全体における一層の低コスト化及び高性能化が推進されている。
【０００５】
ＩＣレコーダでは、音声データを記録する場合には、記録開始から記録終了までの１件分のデータにインデックス番号を付けて半導体メモリに記録する制御が行われる。例えば最初に記録する音声データに対しては０１というインデックス番号を付け、次に記録する音声データに対しては０２というインデックス番号を付け、以下同様に連続してインデックス番号を付けてゆくという具合である。そして、音声データの再生時には、再生すべき音声データを選択するため、液晶表示パネル等の表示部に予めこのインデックス番号を表示させ、目的のインデックス番号を操作ボタンで選択して当該インデックス番号に対応する音声データを再生させるようになっている。
【先行技術文献】
【特許文献】
【０００６】
【特許文献１】特開平０７−０６５５５１号公報
【発明の概要】
【発明が解決しようとする課題】
【０００７】
上述のようなＩＣレコーダで音声データを再生する場合には、再生ボタン、順方向サーチボタン、逆方向サーチボタン等の複数の操作ボタンの操作が必要であった。具体的には、複数件のデータが記録されている場合には、再生に先立って再生するデータを選択すべく上記順方向サーチボタン及び逆方向サーチボタンを押して再生すべきデータのインデックス番号を上記表示部に表示させる操作を行っていた。ここで、インデックス番号が非常に多い場合には、目的のインデックス番号を表示させるために上記各サーチボタンを押し続けなければならなかった。また、再生ボタンを押した後のデータ再生中に、検索或いは頭出し等のための所謂キュー／レビューの操作を行う場合にも、当該再生中に上記各サーチボタンを押し続ける操作が必要とされていた。
【０００８】
このように、従来のＩＣレコーダでは、データ再生に関して複数の操作ボタンを使い分けて押圧する必要があるため、再生前におけるインデックス番号の検索或いは再生中におけるデータの検索の操作性が悪いという問題点を有していた。
【０００９】
本発明は、上述した従来の実情に鑑みて提案されたものであり、再生時における操作性の向上を図った再生装置を提供することを目的とする。
【課題を解決するための手段】
【００１０】
上述したような目的を達成するための提案される本発明に係る再生装置は、主データと対応する管理データをそれぞれ含む複数のデータを記憶する記憶手段と、上記記憶手段に記憶された上記複数のデータの中の主データを再生する再生手段と、ユーザが左手で把持しながら、ユーザの左手の親指だけで、回転操作と押圧操作の両方ができるユーザ操作のための操作手段と、所定期間の間に出力されたパルスの数をカウントすることにより、上記操作手段の回転操作の速度を検出する操作速度検出手段と、上記操作速度検出手段によって検出された操作手段の回転操作の速度が所定速度よりも速いか否かを判定し、該判定結果に基づいて、上記記憶手段に記憶されているデータの検索を制御する制御手段とを備える。
【００１１】
この再生装置において、上記制御手段は、上記操作手段の回転操作の速度が上記所定速度よりも遅いと判定する場合には、上記管理データの中のインデックスを上記パルスに応じて１つずつ増加又は減少させ、上記操作手段の回転操作の速度が上記所定速度よりも速いと判定する場合には、上記管理データの中のインデックスを上記パルスに応じて２つ以上増加又は減少させながら検索をする制御を行い、上記操作手段の押圧操作に応じて、上記管理データの特定の部分を選択する。
【００１２】
また、上記操作手段は、上記操作手段の回転操作の方向に基づいて、上記インデックスを増加させる方向に上記データを検索する。
【００１３】
さらに、上記操作手段は、上記操作手段の回転操作の方向に基づいて、上記インデックスを減少させる方向に上記データを検索するようにしてもよい。
【００１４】
さらに、上記制御手段は、検索されたインデックスに対する主データの再生指示がある場合に、上記複数のデータの中の１つの主データが上記再生手段によって再生されるように制御する。
【００１５】
また、上記制御手段は、上記記憶手段に記憶された上記複数のデータの中の１つの主データが再生中のときに、上記操作手段の回転操作の方向に基づいて再生中の上記複数のデータの中の１つの主データをキュー再生する。
【００１６】
さらに、上記制御手段は、上記記憶手段に記憶された上記複数のデータの中の１つの主データが再生中のときに、上記操作手段の回転操作の方向に基づいて再生中の上記複数のデータの中の１つの主データをレビュー再生する。
【００１７】
さらにまた、上記制御手段は、上記記憶手段に記憶された上記複数のデータの中の１つの主データが再生中のときに、上記操作手段の回転操作の方向に基づいて間欠的に上記複数のデータの中の１つの主データを再生する。
【００１８】
さらにまた、上記制御手段は、上記記憶手段に記憶された上記複数のデータの中の１つの主データが再生中のときに、上記操作手段の回転操作の速度に基づいて間欠的に上記複数のデータの中の１つの主データを再生するように制御する。
【発明の効果】
【００１９】
本発明に係る再生装置は、記憶手段に記憶されている複数のデータを再生するに当たって、ユーザによって操作される操作手段の操作速度に基づいて記憶手段に記憶されているデータのサーチ件数を制御するようにしているので、操作手段の操作速度に応じて記憶手段に記憶された複数のデータのサーチを行うことができ、多数のデータが記憶手段に記憶されている場合であっても、目的とするデータを迅速にサーチして再生を行うことができる。
【図面の簡単な説明】
【００２０】
【図１】本発明を適用したＩＣレコーダの回路構成図である。
【図２】ＩＣレコーダの外観を概略的に表した図である。
【図３】ジョグダイヤルの構成を説明するための図であり、（Ａ）は正面側からの外観を、（Ｂ）は背面側からの外観を表した図である。
【図４】ジョグの回転方向とそれに対して検出される信号の出力波形を示した図である。
【図５】キュー／レビュー再生に関するジョグの操作とそれに対する再生状態の移行を説明するための図である。
【図６】停止状態からジョグの回動又は押圧の操作が行われた場合の処理を示した図である。
【図７】音声データの再生状態からジョグの回動又は押圧の操作が行われた場合の処理を示した図である。
【発明を実施するための形態】
【００２１】
本発明に係る記録再生装置の実施の形態について、図面を参照しながら詳細に説明する。なお、以下に説明する実施の形態では、記録媒体としての半導体メモリにマイクロホーンからの音声信号を音声データに変換して書き込み、また、この半導体メモリに記憶されている音声データを読み出し、スピーカから音声データに基づく音を出力するＩＣレコーダに、本発明の記録再生装置を適用している。このＩＣレコーダは、ユーザがメモに所定の事項を書き記す代わりに、口頭で必要事項を音声データとして記憶させておくことができるものである。
【００２２】
図１に示すように、このＩＣレコーダ１は、マイクロホーン１１からの音声信号を音声データに変換して半導体メモリ９に格納する記録部１０と、上記半導体メモリ９に記憶されている音声データを読み出し、音声信号に変換してスピーカ２４を駆動する再生部２０と、記録部１０等を制御する制御部３０と、動作状態や操作手順を表示するための表示部４０と、ユーザーが各種の操作を行うための操作部５０とを備える。
【００２３】
記録部１０は、マイクロホーン１１からの音声信号を増幅する増幅器１２と、増幅器１２で増幅された音声信号のレベルを適切なレベルとする自動利得制御回路（Automatic Gain Controller、以下ＡＧＣという。）１３と、ＡＧＣ１３からの音声信号を音声データに変換するエンコーダ１４と、エンコーダ１４からの音声データを一時蓄積するバッファメモリ１５とを備える。
【００２４】
記録部１０においては、マイクロホーン１１が入力される音を音声信号に変換して増幅器１２に供給し、増幅器１２が音声信号を増幅してＡＧＣ１３に供給する。そして、ＡＧＣ１３は、増幅器１２で増幅された音声信号を、そのレベルが適切なレベルとなるように増幅してエンコーダ１４に供給する。
【００２５】
エンコーダ１４は、音声信号が時間的に相関が強いことから、例えば適応型差分パルスコードモジュレーション（Adaptive Differential Pulse Code Modulation、以下ＡＤＰＣＭという。）により、少ないデータ量で音声信号を符号化して音声データを生成し、この音声データをバッファメモリ１５に供給する。
【００２６】
バッファメモリ１５は、エンコーダ１４から供給される音声データを一時蓄積して半導体メモリ９に供給する。
【００２７】
半導体メモリ９は、例えば電気的消去形（エレクトリカル・イレーザブル）プログラマブル・リード・オンリ・メモリ（Electrical Erasable/Programmable Read-Only Memory、以下ＥＥＰＲＯＭという。）等の、メモリの駆動電源がＯＦＦの状態にされても記憶素子の持つ記憶内容が消えないで保持される不揮発性の半導体メモリからなる。この半導体メモリ９は、バッファメモリ１５から供給される音声データを記憶すると共に、各音声データをどの領域に記憶したか等につき管理する管理情報（以下、ＴＯＣ情報という。）を記憶する。具体的には、半導体メモリ９は、例えば４Ｍ×８ビットの記憶容量を有し、これにより所定帯域の音声信号に対応した音声データを約３０分間記憶できるようになっている。
【００２８】
一方、再生部２０は、図１に示すように、半導体メモリ９から読み出された音声データを音声信号に変換するデコーダ２１及びフィルタ２２と、フィルタ２２からの音声信号を増幅してスピーカ２４に供給する増幅器２３とを備える。
【００２９】
デコーダ２１は、記録部１０のエンコーダ１４に対応したものであり、半導体メモリ９から読み出された音声データ、すなわちＡＤＰＣＭ方式で符号化された音声データを復号化して、いわゆるＰＡＭ信号を生成する。フィルタ２２は、このＰＡＭ信号から音声帯域以上の高周波成分を除去して、音声信号を出力する。増幅器２３は、フイルタ２２から供給される音声信号を増幅してスピーカ２４を駆動する。かくして、録音された音がスピーカ２４から出力される。
【００３０】
制御部３０は、このＩＣレコーダ１の動作を制御するためのプログラムが記憶されているＲＯＭ３１と、ＲＯＭ３１に記憶されているプログラムを実行して、各ブロックを制御するマイクロコンピュータ（以下、ＣＰＵという。）３２と、時刻やプログラムの実行結果等を一時的に記憶するランダム・アクセス・メモリ（Random Access Memory、以下ＲＡＭという。）３４とを備える。
【００３１】
表示部４０は、ＩＣレコーダ１の動作状態や音声データの格納状態等を制御部３０からの制御信号に基づいて表示するものであり、液晶表示パネル４１と、この液晶表示パネル４１を照明するためのバックライト４２とが備えられている。
【００３２】
操作部５０は、音声の記録／再生を行う場合に制御部３０に種々の入力信号を供給する。操作部５０には、記録／再生時にユーザーが操作するための後述する各種の操作ボタンや操作スイッチ，及びジョグダイヤルが備えられている。そして、ＩＣレコーダ１においては、これら各操作ボタン／スイッチ，及びジョグダイヤルからの種々の入力信号が制御部３０に供給されるようになっている。
【００３３】
制御部３０のＣＰＵ３２は、操作部５０からの入力信号に基づき、その入力信号に対応したプログラムをＲＯＭ３１から読み出して実行し、各ブロックを制御する。例えば後述する録音開始ボタンが押されると、ＣＰＵ３２は、録音に対応したプログラムをＲＯＭ３１から読み出して実行し、増幅器１２、ＡＧＣ１３、エンコーダ１４、表示部４０等を動作させ、バッファメモリ１５で一時蓄積された音声データを、例えば半導体メモリ９の空いている領域に格納する制御を行う。また、音声データの再生の際には、ＣＰＵ３２は、再生に対応したプログラムをＲＯＭ３１から読み出して実行し、デコーダ２１、フィルタ２２、増幅器２３、表示部４０等を動作させ、半導体メモリ９の所定領域に格納されている音声データを読み出してスピーカ２４に出力する制御を行う。
【００３４】
制御部３０は、このように半導体メモリ９に対する音声データの書き込み及び読み出しを制御しており、例えば音声データを９９件まで、それぞれを識別するインデックス番号を付けて半導体メモリ９に書き込む制御を行う。また、制御部３０は、このインデックス番号に基づいて半導体メモリ９から音声データを読み出す制御を行う。
【００３５】
次に、ＩＣレコーダ１の操作部５０について、図１乃至図２を参照して説明する。なお、図２はＩＣレコーダ１の外観を概略的に表したものである。図２に示すこのＩＣレコーダ１は、携帯用であり、手のひらで把持できる大きさに構成された外装筐体２の内部に、上述した記録部１０、再生部２０等の電気回路が実装されたプリント基板（図示せず）が配設されている。また、この外装筐体２の主面部２ａには、上述した液晶表示パネル４１及びスピーカ２４が配設されている。
【００３６】
このＩＣレコーダ１は、外装筐体２の主面部２ａ及び各側面部に、操作部５０を構成する各種操作ボタン／スイッチ５１〜５７等、及びジョグダイヤル６０が配設されている。これにより、ＩＣレコーダ１においては、左手で把持しながら操作できるようになっており、通常ユーザーが右手で行う筆記等の作業と併用して使用することができる。
【００３７】
ここで、操作ボタンとしては、図２に示すように、ファイル（ＦＩＬＥ）ボタン５１と、メニュー（ＭＥＮＵ）ボタン５２と、プライオリティ（ＰＲＩＯＲＩＴＹ）ボタン５３と、録音等を停止するための停止（ＳＴＯＰ）ボタン５４と、録音を開始するための録音開始（ＲＥＣ）ボタン５５と、半導体メモリ９に記憶されている音声データを消去するための消去（ＥＲＡＳＥ）ボタン５６とがそれぞれ外装筐体２の主面部２ａに配設されている。また、操作スイッチとしては、外装筐体２の左側面部２ｂのやや下側にスライド型のホールドスイッチ５７が取り付けられている。なお、操作部５０には、再生音の大きさを調整するボリューム、イヤホーンジャック等が含まれ、図示しないが、それぞれ外装筐体２の側面部に備えられている。
【００３８】
ここで、ファイルボタン５１は、ＩＣレコーダ１に設定されているファイルを切り換えるためのボタンである。なお、ここで言うファイルは、パーソナルコンピュータで用いるディレクトリあるいはフォルダに相当するものであり、この実施の形態では５種類のファイルが設定されている。すなわち、ＩＣレコーダ１では、各ファイルに対して９９件までの音声データを格納できるようになっている。各ファイルの識別は、液晶表示パネル４１にそれぞれ異なったアイコンを表示させることによって行う。
【００３９】
メニューボタン５２は、ＩＣレコーダ１の初期設定を変更等させるために記録／再生の停止中に押されるボタンである。ここで、初期設定の変更としては、例えば日付及び時刻の変更、タイマーのＯＮ／ＯＦＦの変更、録音すべき音声データの帯域の変更、各種操作ボタンが押された場合等のビープ音，アラーム音の出力の変更，マイクロホーン１１の感度の変更等が挙げられる。
【００４０】
プライオリティボタン５３は、記録した音声データに対して再生の優先順位を付けるために再生中あるいは停止中に押されるボタンである。ＩＣレコーダ１では、このプライオリティボタン５３が押されると、対象となる音声データのインデックス番号が若い番号に変更され、そのファイルにおいて当該音声データが優先的に再生されることとなる。
【００４１】
ホールドスイッチ５７は、ＩＣレコーダ１の動作又は停止状態を維持するためのスイッチである。ＩＣレコーダ１は、このホースドスイッチ５７がオンになっている場合には、各操作ボタン５１〜５６、ジョグダイヤル６０等の操作を受け付けない状態となる。
【００４２】
そして、ＩＣレコーダ１においては、外装筐体２の左側面部２ｂの上部側に形成された切欠部２ｃからジョグダイヤル６０の一部が露呈されている。このジョグダイヤル６０は、回転中心軸６２を備えた円板状の回転操作部材６１及び詳細を後述する種々の部材を有しており、これら大部分の構成部材が外装筐体２内に収納され、回転操作部材６１の一部が上記切欠部２ｃから外方を臨んでいる。そして、ジョグダイヤル６０の回転操作部材６１は、回転中心軸６２を中心として図２に示すＡ及びＢ方向に回転可能となっている。
【００４３】
さらに、ジョグダイヤル６０の回転操作部材６１は、その回転中心軸６２が外装筐体２内で図２に示すＸ及びＹ方向に移動可能となっており、通常の状態では図示しないバネによりＹ方向に付勢されている。従って、ジョグダイヤル６０の回転操作部材６１は、ユーザの操作によって、上記ＡＢ方向に回転させることができるとともに、回転中心軸６２と直交するＸ方向に押圧できるようになっている。
【００４４】
そして、ジョグダイヤル６０は、この回転操作部材６１がＡＢ方向に回転操作されることにより、回転角度及び回転の速度に応じた入力信号を制御部３０に供給するとともに、Ｘ方向に押圧操作されることにより、押圧時間に応じた入力信号を制御部３０に供給するようになっている。具体的には、ＩＣレコーダ１においては、制御部３０が回転操作部材６１の回転方向，回転角度，及び回転速度を検出し、又は回転操作部材６１の押圧がなされたか否か、さらにはその押圧が一定時間を超えたか否かを検出することにより、それぞれの結果に応じたプログラムをＲＯＭ３１から読み出して実行し、図１に示す各ブロックを制御することになる。なお、この制御の詳細な内容については後述する。
【００４５】
ジョグダイヤル６０は、再生時における種々の動作を行わせるため或いは上述した初期設定を変更するため等、種々の場合に操作されるものであり、使用頻度の高いものである。そのため、ジョグダイヤル６０は、上述のような位置に配設されることにより、ユーザが左手で外装筐体を把持した場合にその親指だけで回転操作部材６１の回転及び押圧操作ができるようになっている。
【００４６】
さらに、図３及び図４を参照して、このジョグダイヤル６０の構成を説明する。ここで、図３（Ａ）はジョグダイヤル６０の正面側（外装筐体２の主面部２ａ側）からの外観を、図３（Ｂ）は背面側からの外観をそれぞれ表した図である。これら図３に示すように、ジョグダイヤル６０は、上述した回転操作部材６１、この回転操作部材６１が取り付けられるベース部材６３、板ばね状の電極６４、ベース部材６３に取り付けられた４つの端子ａ，ｂ，ｃ，ｄ等から構成される。
【００４７】
ベース部材６３は、絶縁性の部材で成形され、図３（Ｂ）に示す主面部６３ａが外装筐体２の内部に取り付けられることにより、ジョグダイヤル６０全体を外装筐体２に対して固定する。また、ベース部材６３は、図３（Ｂ）に示すように、ＸＹ方向に長い略長円形の切欠孔部６５を有しており、この切欠孔部６５に対して回転操作部材６１の一方の主面部６１ａの中央に形成された円形の回転中心軸６２が回転可能かつＸＹ方向に移動可能に嵌め込まれている。これにより、ジョグダイヤル６０においては、回転操作部材６１がＡＢ方向に回転可能かつ回転中心軸６２と直交するＸＹ方向に移動可能に構成されている。
【００４８】
電極６４は、図３（Ａ）に示すように、板ばね状に成形されており、その基端側がベース部材６３上に固定されている。また、ベース部材６３に取り付けられた各端子ａ，ｂ，ｃ，ｄは、それぞれ図１に示す制御部３０に接続されている。ここで、端子ａ及び端子ｂは、回転操作部材６１の回転に基づく入力信号を供給するためのものである。また、端子ｄは、回転操作部材６１のＸ方向への押圧に基づく入力信号を供給するためのものである。さらに、端子ｃは、端子ａ，ｂ，ｄに対する共通のアースとなるものである。
【００４９】
電極６４は、回転操作部材６１がＸ方向に押圧されることにより、その先端部６４ａがＸ方向に移動して図示しない他の電極に接触する。ジョグダイヤル６０は、電極６４のこの接触により端子ｄから制御部３０に対して入力信号を供給し、回転操作部材６１の押圧を止めることにより当該接触が解除されると入力信号の供給を停止する。制御部３０は、供給されたこの入力信号を検出し、さらにはこの入力信号の供給が一定時間以上連続して行われたか否かを検出し、その結果に応じたプログラムをＲＯＭ３１から読み出して実行する。
【００５０】
また、ジョグダイヤル６０は、回転操作部材６１のＡ方向又はＢ方向への回転により、図４に示すように、２相のパルス信号を出力するようになっている。すなわち、回転操作部材６１を右回転させることにより、ａ−ｃ端子間から信号αが、ｂ−ｃ端子間から信号βが、それぞれ位相を異にして出力される。同様に、回転操作部材６１を左回転させることにより、ａ−ｃ端子間から信号αが、ｂ−ｃ端子間から信号βが、それぞれ位相を異にして出力される。ここで、ジョグダイヤル６０では、図４に示すように、回転操作部材６１を右回転させた場合には信号βが信号αよりも位相がわずかに遅れ、逆に左回転させた場合には信号αが信号βよりも位相がわずかに遅れるようにパルス信号が出力される。従って、制御部３０は、信号αと信号βとでどちらの位相が遅れているかを検出することにより回転操作部材６１の回転の方向が検出できる。
【００５１】
なお、ジョグダイヤル６０は、回転操作部材６１を左右いずれか１回転（３６０度回転）させることにより、信号α及び信号βによるパルスをそれぞれ１５回出力するようになっている。すなわち、回転操作部材６１を１／１５回転（２４度回転）させると信号α及び信号βによるパルスがそれぞれ１回出力されることになる。従って、制御部３０は、ジョグダイヤル６０から出力されるパルスの数をカウントすることにより、回転操作部材６１の回転角度を検出することができ、さらに所定時間あたりのパルスの数をカウントすることにより、回転操作部材６１の回転速度を検出することができるようになっている。
【００５２】
このような構成とされるＩＣレコーダ１においては、録音に先立ち、例えばファイルボタン５１を押すことにより、制御部３０の制御に基いて各種ファイルに対応するアイコンが液晶表示パネル４１に表示される。そして、ジョグダイヤル６０の回転操作部材６１を回転操作していずれかのアイコンを選択し、この回転操作部材６１を押圧操作することにより、当該アイコンが指定されていずれかのファイルに音声データを格納するかの決定が制御部３０により行われる。また、録音に先立ち、メニューボタン５２を押すことにより、制御部３０の制御により初期設定の状態が液晶表示パネル４１に表示される。そして、初期設定を変更する場合は、回転操作部材６１を回転操作して対象となる事項を選択し、この回転操作部材６１を押圧操作することにより当該事項の設定が変更される。
【００５３】
そして、ＩＣレコーダ１においては、録音開始ボタン５５が押された場合に録音開始状態となり、ここでユーザがマイクロホーン１１に向かって音声を発すると、半導体メモリ９の指定された領域に音声データが書き込まれる。そして、停止ボタン５５が押されることで、録音の処理が解除される。この際、半導体メモリ９には、音声データが記録されると共に、上述のＴＯＣ情報や、ファイル番号及びインデックス番号が記録される。
【００５４】
次に、ＩＣレコーダ１において、記録されている音声データを再生する場合には、録音時と同様に例えばファイルボタン５１が押されると、制御部３０の制御により各種ファイルに対応するアイコンが液晶表示パネル４１に表示される。そして、ジョグダイヤル６０の回転操作部材６１を回転操作していずれかのアイコンを選択し、この回転操作部材６１を押圧操作することにより当該アイコンが指定されていずれのファイルに格納されている音声データを再生するかの決定が制御部３０により行われる。なお、図２に示す液晶表示パネル４１では、説明の便宜のためインデックス番号に関する表示のみを表しているが、実際には上記アイコンや時刻等の種々の表示がされることとなる。ここで、図２に示す液晶表示パネル４１における「０２／３７」の表示は、分母の数が記録された音声データの件数を、分子の数が現在再生している或いは即座に再生可能な状態にある音声データのインデックス番号をそれぞれ表している。従って、この場合は、あるファイルに３７件の音声データが格納されており、インデックス番号が０２の音声データについて再生している状態或いは即座に再生可能な状態（以下、この即座に再生可能な状態を単に停止状態という。）にある。
【００５５】
ここで、ＩＣレコーダ１において停止状態にある場合は、以下のようにジョグダイヤル６０の回転操作部材６１を操作することによって再生動作が開始される。
【００５６】
回転操作部材６１を左すなわちＡ方向に回転させた場合は、制御部３０により順送りサーチの制御が実行される。具体的には、制御部３０は、検出した上述のパルス信号の数に応じて後のインデックス番号を半導体メモリ９から読み出して液晶表示パネル４１に順次表示（この場合は０３／３７，０４／３７，０５／３７・・・・のように表示）する制御を行う。一方、ジョグダイヤル６０を右すなわちＢ方向に回転させた場合は、制御部３０により逆送りサーチの制御が実行される。具体的には、制御部３０は、検出した上述のパルス信号の数に応じて前のインデックス番号を半導体メモリ９から読み出して（この場合は０１，３７，３６・・・・のように読み出す。）液晶表示パネル４１に順次表示する制御を行う。
【００５７】
そして、再生すべき音声データのインデックス番号を決定して回転操作部材６１を押圧した場合は、制御部３０は、検出した入力信号に基づいて、当該インデックス番号に対応した音声データの再生を開始するように制御する。また、制御部３０は、この再生状態で回転操作部材６１が短く押圧された（以下、この短い押圧を短押しと呼ぶ。）場合には、音声データの再生を停止させる制御を行う。なお、この再生状態で回転操作部材６１が一定時間以上に長く押圧された（以下、この長い押圧を長押しと呼ぶ。）場合には、制御部３０は、後述するリピート再生の制御を行う。
【００５８】
次に、ＩＣレコーダ１における再生時の種々の機能について説明する。ＩＣレコーダ１は、再生中において所謂キュー＆レビュー再生の機能、リピート再生の機能、スキャン再生の機能が備えられており、これら各機能をジョグダイヤル６０の回転操作部材６１の操作のみによって実行できるようになっている。
【００５９】
キュー／レビュー再生に関する回転操作部材６１の操作とそれに対する再生状態の移行を図５に示す。なお、説明の便宜のため、ジョグダイヤル６０の回転操作部材６１のことを以下単にジョグ６１と呼ぶ。キュー／レビューを行う場合には、再生を開始する際又は再生が開始された後に、このジョグ６１をＸ方向に押圧しながらＡＢいずれかの方向に所定角度まで回転させるようにする。図５に示すように、この実施の形態では、ジョグ６１を押圧しながら左すなわちＡ方向に回転させると、制御部３０によりキュー再生の制御が行われ、一方ジョグ６１を押圧しながら右すなわちＢ方向に回転させるとレビュー再生の制御が行われるようになっている。このキュー／レビュー再生は、例えば１０倍速とし、ジョグ６１の押圧が維持されている間継続して実行される。一方、ジョグ６１のＸ方向への押圧が解除されこの押圧に基づく入力信号の供給が停止された場合には、制御部３０は、このキュー／レビュー再生を中止して通常速度での再生に戻す制御を行う。また、図５に示すように、キュー再生中にジョグ６１が右すなわちＢ方向に回転された場合、或いはレビュー再生中にジョグ６１が左すなわちＡ方向に回転された場合であっても、制御部３０は、同様に通常速度での再生に戻す制御を行う。
【００６０】
なお、この実施の形態では、キュー再生で音声データの最後まで到達した場合には、制御部３０は、キュー再生を中止して、当該音声データの頭の部分で停止させる制御を行うようになっている。一方、レビュー再生で最初の音声データの頭の部分まで到達した場合には、制御部３０は、レビュー再生を中止して、当該音声データの頭の部分で停止させる制御を行うようになっている。すなわち、ＩＣレコーダ１では、キュー再生或いはレビュー再生のいずれにおいても、途中の音声データの頭の部分では停止しないように制御される。
【００６１】
また、音声データの再生が行われている間にジョグ６１を長押しすると、制御部３０は、当該音声データ１件分のリピート再生の制御を行う。この実施の形態では、当該リピート再生により１件分の音声データが何度も繰り返し再生されるように制御される。なお、このリピート再生中にジョグ６１の再度の押圧あるいは回転操作がなされた場合は、当該リピート再生が解除されて通常の再生に戻るように制御される。また、停止ボタン５４或いは消去ボタン５６のいずれかが押された場合にも当該リピート再生が解除されて通常の再生に戻る制御が行われる。
【００６２】
さらに、図６に示すように、停止状態からジョグ６１を長押しした場合には、制御部３０は、スキャン再生の制御を行う。すなわち、停止状態からジョグ６１がＸ方向に一定時間押圧され続けることで、制御部３０は、この押圧された時間を検出してスキャン再生を開始させる制御を行う。ここで、スキャン再生とは、あるファイルに複数件の音声データが格納されている場合に、そのファイルに格納されている全件数分の音声データの最初の部分を一定時間（例えば５秒間）ずつ再生するという再生方法である。
【００６３】
ここで、スキャン再生を行うか否かについての判断は、例えばジョグ６１の押圧に基づく入力信号が押圧開始時から３秒以上継続して検出されるか否かにより行う。すなわち、制御部３０は、かかる入力信号がジョグ６１の押圧開始時から３秒以上継続して検出された場合にはスキャン再生の制御を実行し、３秒以下であれば通常の再生の制御を実行する。
【００６４】
スキャン再生が開始された後は、ジョグ６１の押圧を解除してもスキャン再生の制御が続行される。そして、制御部３０は、そのファイルの最後の音声データのスキャン再生が終了すると、最初の音声データの先頭に戻って停止するように制御する。
【００６５】
なお、スキャン再生中にジョグ６１が回転操作されると、制御部３０は、当該回転により発生したパルス信号の数に応じた前或いは後のインデックス番号についての音声データの再生に変更してスキャン再生を続行する制御を行う。そして、このスキャン再生中に目的とする音声が聞こえてきた場合は、その音声データが再生されている間にジョグ６１をＸ方向に押圧する。この場合に、制御部３０は、図６に示すように、通常の再生モードに戻す制御を実行する。この操作により、当該音声データを最初から最後まで聴くことができるようになる。なお、スキャン再生中に停止ボタン５４が押された場合は、制御部３０は、当該入力信号に基づきスキャン再生を解除して停止状態になるように制御する。
【００６６】
なお、この実施の形態では、スキャン再生中における消去ボタン５６，ファイルボタン５１，及びプライオリティボタン５３の押圧操作が行われた場合は、制御部３０は、ホールドスイッチ５７のオン／オフに関わらず、これら各ボタンの押圧に基づく各入力信号を無効とするように制御する。
【００６７】
ＩＣレコーダ１においては、ジョグ６１をＡ方向又はＢ方向に回転させた場合に、上述のように制御部３０がこの回転速度を検出して、当該速度に応じた処理を行うようになっている。
【００６８】
図６には、停止状態からジョグ６１の回転操作が行われた場合の処理をも示している。この図６から明らかなように、ＩＣレコーダ１においては、停止状態からジョグ６１を左すなわちＡ方向に回転させた場合には、制御部３０は、回転速度が遅い場合には１件ごとの順方向サーチの制御を行い、液晶表示パネル４１に表示するインデックス番号を１ずつ増加させてゆく。一方、制御部３０は、ジョグ６１の回転速度が速い場合には、多数件を飛ばした順方向サーチの制御を行い、液晶表示パネル４１に表示するインデックス番号を一気に増加させるようにする。
【００６９】
同様に、停止状態からジョグ６１を右すなわちＢ方向に回転させた場合には、制御部３０は、回転速度が遅い場合には１件ごとの逆方向サーチの制御を行い、液晶表示パネル４１に表示するインデックス番号を１ずつ減少させてゆく。一方、ジョグ６１の回転速度が速い場合は、制御部３０は、多数件を飛ばした逆方向サーチの制御を行い、液晶表示パネル４１に表示するインデックス番号を一気に減少させるようにする。
【００７０】
これにより、ＩＣレコーダ１においては、半導体メモリ９に記録した音声データの件数が非常に多いためインデックス番号が非常に多くなった場合であっても、ジョグ６１を早回しすることにより、インデックス番号が多数件分飛ばされて目的のインデックス番号を速やかに液晶表示パネル４１に表示させることができる。従って、ＩＣレコーダ１によれば、再生前におけるインデックス番号の検索性が大幅に向上し、目的とする音声データを簡単な操作で速やかに再生させることが可能となる。
【００７１】
さらに、図７に音声データの再生状態からジョグ６１の回転操作が行われた場合の処理を示す。この図７から明らかなように、ＩＣレコーダ１においては、再生状態からジョグ６１を左すなわちＡ方向に回転させた場合には、制御部３０は、回転速度が遅い場合には１件ごとの順方向サーチの制御を行う。具体的には、制御部３０は、液晶表示パネル４１に表示するインデックス番号を１ずつ増加させ、それに対応する音声データを頭の部分から再生する制御を行う。一方、回転速度が速い場合には、制御部３０は、多数件を飛ばした順方向サーチの制御を行う。具体的には、制御部３０は、液晶表示パネル４１に表示するインデックス番号を一気に増加させ、それに対応する音声データを頭の部分から再生する制御を行う。
【００７２】
同様に、再生状態からジョグ６１を右すなわちＢ方向に回転させた場合には、制御部３０は、回転速度が遅い場合は１件ごとの逆方向サーチの制御を行う。具体的には、制御部３０は、液晶表示パネル４１に表示するインデックス番号を１ずつ減少させ、それに対応する音声データを頭の部分から再生する制御を行う。一方、ジョグ６１の回転速度が速い場合は、制御部３０は、多数件を飛ばした逆方向サーチの制御を行う。具体的には、制御部３０は、液晶表示パネル４１に表示するインデックス番号を一気に減少させ、それに対応する音声データを頭の部分から再生する制御を行う。
【００７３】
これにより、ＩＣレコーダ１においては、半導体メモリ９に記録した音声データの件数が非常に多い場合であっても、ジョグ６１を早回しするという簡単な操作により音声データが多数件分飛ばされて目的とする音声データの最初の部分が速やかに再生されるので、再生中の音声データの検索性も大幅に向上する。
【００７４】
このように、ＩＣレコーダ１は、ジョグダイヤル６０に多くの機能が割り当てられており、これにより操作性の向上、装置全体の小型化、軽量化に寄与することが可能となる。具体的には、左手親指１本によるジョグ６１の回転及び押圧操作によって再生時における基本的な操作を全て行うことが可能となるので、再生に関して指をあちこちに移動させる必要がなくなり、操作性が大幅に向上する。また、ジョグダイヤル６０に多くの機能を割り当てたことから、操作ボタン、操作スイッチを全体として少なくすることができ、これによりＩＣレコーダ１の操作が視覚的に分かりやすくなり、また、装置全体の小型軽量化が実現できる。
【００７５】
なお、以上ＩＣレコーダ１について詳細に説明したが、本発明に係る記録再生装置は、これに限定されるものではなく、録音機器全般、特に持ち運びに便利な携帯型の機器について適用することができる。また、以上音声データの記録再生装置の例について詳細に説明したが、本発明は、音声データ以外の他の動的データの記録再生を行うための記録再生装置であってもよいのは勿論である。
【符号の説明】
【００７６】
１  ＩＣレコーダ、２  外装筐体、９  半導体メモリ、１０  記録部、２０  再生部、 ３０  制御部、４０  表示部、４１  液晶表示パネル、５０  操作部、６０  ジョグダイヤル、６１  回転操作部材（ジョグ）、６２  回転中心軸
【図１】
0005461367.tif 000002
【図２】
0005461367.tif 000003
【図３】
0005461367.tif 000004
【図４】
0005461367.tif 000005
【図５】
0005461367.tif 000006
【図６】
0005461367.tif 000007
【図７】
0005461367.tif 000008